(57)【要約】【課題】基準部材の状態に応じて、適切な補正を実行する読取装置を提供する。【解決手段】光源と、読取対象物からの反射光を受光するライン状に配置されたセンサアレイとを有する読取部により基準部材が読み取られたセンサアレイの各センサに対応する読取値から、利得補正値を取得する。利得補正値の取得結果から、基準部材の状態に応じて利得補正値を変更し、その変更された利得補正値に基づいて補正を行う。【選択図】図９
2017118268.tif 000002
【特許請求の範囲】
【請求項１】
読取対象物に光を照射する光源と、前記読取対象物からの反射光を受光するライン状に配置されたセンサアレイとを有する読取手段と、
前記読取手段により基準部材が読み取られた前記センサアレイの各センサに対応する読取値から、利得補正値を取得する取得手段と、
前記取得手段の取得結果から、前記基準部材の状態に応じて前記利得補正値を変更する変更手段と、
前記変更手段により変更された利得補正値に基づいて補正を行う補正手段と、
を備えることを特徴とする読取装置。
【請求項２】
前記変更手段は、前記センサアレイのうち予め定められた部分のセンサに対応する前記取得手段により取得された読取値に応じて、前記予め定められた部分のセンサに対応する利得補正値を変更することを特徴とする請求項１に記載の読取装置。
【請求項３】
前記予め定められた部分は、前記センサアレイにおける端部であることを特徴とする請求項２に記載の読取装置。
【請求項４】
前記読取値は、輝度値であり、
前記端部における各センサに対応する輝度値から前記白色基準板の状態を特定する特定手段、をさらに備えることを特徴とする請求項３に記載の読取装置。
【請求項５】
前記端部における各センサに対応する輝度値が端に向かうほど低下しているか否かを判定する第１の判定手段、をさらに備え、
前記特定手段は、前記第１の判定手段により前記端部における各センサに対応する輝度値が端に向かうほど低下していると判定された場合、前記白色基準板は反った状態であると特定し、
前記変更手段は、前記端部における各センサに対応する輝度値を所定の輝度値に変更する、
ことを特徴とする請求項４に記載の読取装置。
【請求項６】
前記所定の輝度値は、前記センサアレイのうち前記端部以外の部分のセンサに対応する輝度値であることを特徴とする請求項５に記載の読取装置。
【請求項７】
前記第１の判定手段により前記端部における各センサに対応する輝度値が端に向かうほど低下していないと判定された場合、前記特定手段は、前記白色基準板は反っていない状態であると特定し、
前記変更手段は、前記端部における各センサに対応する輝度値の変更を行わない、
ことを特徴とする請求項５又は６に記載の読取装置。
【請求項８】
前記第１の判定手段により前記端部における各センサに対応する輝度値が端に向かうほど低下していないと判定された場合、前記端部における各センサに対応する輝度値が閾値より低いか否かを判定する第２の判定手段と、
前記第２の判定手段により前記端部における各センサに対応する輝度値が前記閾値より低いと判定された場合、前記補正を行わないよう前記補正手段を制御する制御手段と、
をさらに備えることを特徴とする請求項５乃至７のいずれか１項に記載の読取装置。
【請求項９】
前記制御手段は、前記第２の判定手段により前記端部における各センサに対応する輝度値が前記閾値より低くないと判定された場合、前記補正を行うよう前記補正手段を制御することを特徴とする請求項８に記載の読取装置。
【請求項１０】
前記制御手段は、前記補正を行わないよう前記補正手段を制御する場合、当該補正を行わない旨を通知することを特徴とする請求項８又は９に記載の読取装置。
【請求項１１】
前記制御手段は、前記光源の状態が正常でないために前記補正を行わない旨を表示手段に表示することを特徴とする請求項１０に記載の読取装置。
【請求項１２】
前記補正は、シェーディング補正であることを特徴とする請求項１乃至１１のいずれか１項に記載の読取装置。
【請求項１３】
読取対象物に光を照射する光源と、前記読取対象物からの反射光を受光するライン状に配置されたセンサアレイとを有する読取手段を備える読取装置において実行される読取方法であって、
前記読取手段により基準部材が読み取られた前記センサアレイの各センサに対応する読取値から、利得補正値を取得する取得工程と、
前記取得工程での取得結果から、前記基準部材の状態に応じて前記利得補正値を変更する変更工程と、
前記変更工程において変更された利得補正値に基づいて補正を行う補正工程と、
を有することを特徴とする読取方法。
【発明の詳細な説明】
【技術分野】
【０００１】
本発明は、画像を光学的に読み取る読取装置および読取方法に関する。
【背景技術】
【０００２】
従来から、原稿画像を光学的に読み取る画像読取装置が知られている。画像読取装置で使用されるＣＣＤイメージセンサ又は密着型イメージセンサ（ＣＩＳ）等で読み取られた画像信号は、一般的に、シェーディングと呼ばれる出力歪みを含んでいる。出力歪みは、光源の光量分布の不均一性、レンズの性質、画角に対応した周辺光量低下、光学系の透過光量のばらつきによる不均一性、センサそのものの感度ムラ、ＣＣＤイメージセンサの転送効率に起因する１走査線終端方向に対する出力低下として発生する。
【０００３】
これらの出力歪みを取り除くために、予め基準面を読み取り、その読取値を使ってイメージセンサの出力画像信号の歪みを補正するシェーディング補正が行われる。シェーディング補正では、原稿読取前に、センサ（イメージセンサ又はラインセンサ）により均一白色の白色基準板を読み取り、その読取値を使って利得補正値を上げて画像全体を読み取る。その結果、イメージセンサの出力画像信号の歪みが補正される（特許文献１）。
【先行技術文献】
【特許文献】
【０００４】
【特許文献１】特開平１１−２３４５１７号公報
【発明の概要】
【発明が解決しようとする課題】
【０００５】
白色基準板がフレームに貼り付けられ、かつ、フレームが反っていて白色基準板も一緒に反った状態の場合、その反りに合わせた状態でシェーディング補正を行うことになる。この場合、反り部分の利得補正値と平坦部の利得補正値に差が生じてしまう。これは、白色基準板がセンサから離れる方向に反っている箇所がある場合、反っていない部分に比べて反り部分におけるセンサの読取結果が暗くなってしまうためである。その結果、実際の原稿は、原稿台ガラス上にあるので平坦さの均一性は保たれているが、白色基準板が反った状態の箇所については、白色基準板の反りに合わせたシェーディング補正が行われたために他の箇所と比較すると明度が高い部分の階調性が失われやすくなる（いわゆる白飛び）。その結果、画像全体の濃度均一性が低下し、画像を劣化させてしまう。
【０００６】
本発明の目的は、このような従来の問題点を解決することにある。上記の点に鑑み、本発明は、基準部材の状態に応じて、適切な補正を実行する読取装置および読取方法を提供することを目的とする。
【課題を解決するための手段】
【０００７】
上記課題を解決するため、本発明に係る読取装置は、読取対象物に光を照射する光源と、前記読取対象物からの反射光を受光するライン状に配置されたセンサアレイとを有する読取手段と、前記読取手段により基準部材が読み取られた前記センサアレイの各センサに対応する読取値から、利得補正値を取得する取得手段と、前記取得手段の取得結果から、前記基準部材の状態に応じて前記利得補正値を変更する変更手段と、前記変更手段により変更された利得補正値に基づいて補正を行う補正手段と、を備えることを特徴とする。
【発明の効果】
【０００８】
本発明によれば、基準部材の状態に応じて、適切な補正を実行することができる。
【図面の簡単な説明】
【０００９】
【図１】画像読取装置の断面図である。
【図２】画像読取部を上から見た図である。
【図３】画像読取部を斜め上方から見た斜視図である。
【図４】画像読取部の断面図である。
【図５】白色基準板周辺の構成を示す図である。
【図６】白色基準板に反りがない場合の、画素と輝度値の関係を示す図である。
【図７】白色基準板に反りがある場合の、画素と輝度値の関係を示す図である。
【図８】端部のセンサが機能していない場合の、画素と輝度値の関係を示す図である。
【図９】読取制御処理を示すフローチャートである。
【図１０】画像読取部の制御構成を示すブロック図である。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
図１は、本実施形態における画像読取装置１００の断面図である。画像読取装置１００は、読取対象物である原稿Ｄの画像を光学的に読み取る画像読取部１０と、画像読取部１０へ原稿Ｄを給送する原稿給送部２０とを含む。画像読取部１０は、原稿を固定して読み取る固定読みの際にユーザによって原稿が載置される原稿台ガラス３０と、原稿Ｄを搬送しながら読み取る流し読みの際に原稿給送部２０によって給送された原稿Ｄが通過する流し読みガラス４０とを含む。また、画像読取部１０は、原稿台ガラス３０及び流し読みガラス４０の下方を、図中の左右方向（副走査方向）に往復移動可能に設けられ、原稿の画像を読み取る読取走査ユニット５０を含む。
【００１２】
画像読取部１０の上方には、原稿を供給して搬送するための原稿給送部２０が設けられている。原稿給送部２０は、ヒンジなどの開閉支持部材によって画像読取部１０に対して図１の奥側を中心に回動自在に取り付けられている。このため、原稿給送部２０は、原稿台ガラス３０と流し読みガラス４０の上面を開閉可能に構成されている。
【００１３】
固定読みの場合、ユーザによって原稿台ガラス３０上に載置された原稿は、原稿給送部２０の下部に配置される原稿圧板により原稿台ガラス３０上に押し付けられて固定される。そして、原稿を固定した状態で原稿台ガラス３０の下方を主走査方向に延設された読取走査ユニット５０が副走査方向に移動しながら、原稿台ガラス３０上の原稿の画像を読み取る。
【００１４】
流し読みの場合、読取走査ユニット５０は、流し読みガラス４０の下方の所定の読取位置に移動して停止する。そして、原稿給送部２０は、原稿載置部２１に載置された原稿Ｄを給送ローラ２２で取り込み、分離ローラ２３ａと分離板２３ｂとからなる分離部２３に給送する。ここで、分離部２３は、給送ローラ２２にて複数枚の原稿Ｄが給送された場合、原稿Ｄを１枚ずつに分離しながら搬送する。
【００１５】
次に、レジセンサＳ１で原稿Ｄの先端を検知すると、レジストローラ対２４にて、分離部２３から搬送されてきた原稿Ｄの先端を受け止めて（突き当てて）原稿Ｄの斜行を矯正する。ここで、レジセンサＳ１では、原稿Ｄの斜行矯正のタイミングを計る他に、原稿Ｄの後端を検知したことに応じて給送ローラ２２による給送タイミングの制御や、検知時間に応じた原稿Ｄのサイズ判定などを行う。
【００１６】
レジストローラ対２４により斜行が矯正された原稿Ｄは、リードセンサＳ２で検知される読取りタイミングに合わせて読取走査ユニット５０が画像を読み取る流し読みガラス４０上の読取位置へ原稿Ｄを給送するように、搬送路ＰＳ１へ原稿Ｄを搬送する。このとき、原稿Ｄは、所定の回転数で回転するプラテンローラ２５によって流し読みガラス４０の上面からの浮き上がり量を規制された状態で搬送され、読取走査ユニット５０によって画像を読み取られる。また、プラテンローラ２５の原稿搬送方向上流と原稿搬送方向下流にはそれぞれリードローラ対２６ａ、２６ｂが設けられており、原稿Ｄは、読取走査ユニット５０によって画像が読み取られながらリードローラ対２６ａ、２６ｂによって搬送される。
【００１７】
画像が読み取られた原稿Ｄは、リードローラ対２６ｂによって反転排出ローラ対２７へ搬送され、反転排出ローラ対２７によって原稿排出部２８へ排出される。ここで、反転排出ローラ対２７の搬送方向上流側には排出センサＳ３が設けられており、排出時における滞留ジャムや遅延ジャムなどを検知可能である。同様に、レジセンサＳ１およびリードセンサＳ２についても、原稿搬送時の滞留ジャムや遅延ジャムなどを検知可能である。
【００１８】
原稿Ｄの両面を読み取る場合は、第一面目を読み取った後、原稿排出中の反転排出ローラ２７を停止する。その後、反転排出ローラ２７を逆回転させて原稿Ｄを機内へ引き戻し、フラッパ２９にて搬送路を反転搬送路ＰＳ２に切り替えることで原稿Ｄを再度搬送路ＰＳ１内に送り込み、読取走査ユニット５０によって第二面目を読み取る。
【００１９】
画像読取部１０は、流し読みと固定読みの何れの読取方法であっても、読取走査ユニット５０が原稿に光を照射し、その照射した光の反射光を受光して、原稿上の画像を光学的に読み取る。そして、原稿読取部１０は、受光した光を電気信号に変換し、電気信号に基づいて画像データを生成する。画像読取装置１００は、不図示のプリンタ等の画像形成装置と接続可能であり、例えば、原稿のコピーを行う際には、生成された画像データを画像形成装置に送る。画像形成装置は、送られた画像データに基づいて、印刷用紙等の記録媒体上に読取画像を形成する。また、画像形成装置は、画像読取装置１００で取得された画像データを、不図示のＦＡＸ回線を介して外部機器へ送信することも可能である。
【００２０】
次に、図２、図３、図４、図５を参照しながら、画像読取部１０について説明する。図２は、画像読取部１０を上から見た図である。図３は、画像読取部１０を斜め上方から見た斜視図である。図３は、画像読取部１０の内部構造の概念を示すために、上フレーム６０を画像読取部１０の本体からずらした位置に示している。図２及び図３に示すように、画像読取部１０は、固定読みの際に用いられる原稿台ガラス３０と、流し読みの際に用いられる流し読みガラス４０が並んで配置されている。
【００２１】
原稿台ガラス３０の上方には、読取走査ユニット５０から出力された出力画像信号の歪みを補正するシェーディング補正を行うための白色基準となる白色基準板８０が設けられている。本実施形態では、白色基準板８０は、原稿台ガラス３０の上面に張り付けられている。また、白色基準板８０は、流し読みガラス４０の上方に構成されていても良い。
【００２２】
図４、図５は、画像読取部１０の断面図である。図５は、特に、図４に示す読取走査ユニット５０の拡大図を示している。読取走査ユニット５０は、原稿に光を照射するための光源である照明部材５１ａ、５１ｂと、読取対象物からの反射光を導く複数のミラー５２ａ〜５２ｄと、結像レンズ５３と、ラインセンサ５４とを含む。照明部材５１ａ、５１ｂから照射され、原稿上で反射された反射光は、ミラー５２ａ〜５２ｄによって結像レンズ５３へ導かれ、ラインセンサ５４に結像されることで、原稿の読取信号が光電変換される。ラインセンサ５４は、主走査方向に複数のイメージセンサがライン状に配置されたセンサアレイである。各イメージセンサは、読取走査ユニット５０の主走査方向の原稿読取幅の各読取画素位置に対応する。
【００２３】
また、図４及び図５では、ＣＣＤ読取方式の原稿読取部１０が示されているが、コンタクトイメージセンサ（ＣＩＳ）による読取方式の原稿読取部１０が用いられても良い。その場合においても、主走査方向に複数のイメージセンサがライン状に配置されたセンサアレイの構成であるならば、本実施形態の動作を適用することができる。
【００２４】
次に、図５を用いて本実施形態における白色基準板８０の構成について説明する。図５は、画像読取部１０を横から見た白色基準板８０周辺の構成を示す図である。白色基準板８０は、原稿台ガラス３０の上面に両面テープ７０ｃと７０ｄを介して貼り付けられている。また、白色基準板８０は、上フレーム６０とも両面テープ７０ｅを介して貼り付けられている。また、流し読みガラス４０は、上フレーム６０と両面テープ７０ａを介して貼り付けられている。
【００２５】
図６は、白色基準板８０に反りが無い状態である場合の主走査方向の画素と輝度値の関係を示す図である。白色基準板８０に反りが無い場合は、主走査方向における各画素毎の輝度値のばらつきが所定範囲内に収まっている。ここで、所定範囲は、読取画像の濃度均一性に問題が生じないと判定できる輝度値のばらつきの範囲として予め定められている。
【００２６】
図７は、白色基準板８０が反った状態である場合の主走査方向の画素と輝度値の関係を示す図である。白色基準板８０に反りがある場合は、主走査方向における各画素毎の輝度値のばらつきが所定範囲内に収まっていない。図７においては、上フレーム６０の反りによって白色基準板８０も反るので、主走査方向の第Ｙ画素目からラインセンサ５４の右端部へのｎ箇所の画素の輝度値が次第に低下していく様子が示されている。このような輝度値の低下が発生すると、シェーディング補正においてターゲット値に補正するための利得補正値について、ラインセンサ５４の端部の画素と中央付近の画素との差が大きくなってしまう。一方、原稿台ガラス３０上の原稿の均一性は保たれている。従って、原稿を読み取ってシェーディング補正を行うとその結果、読み取った画像データの濃度の均一性を低下させてしまう。
【００２７】
図８は、ラインセンサ５４の端部のｎ画素のセンサ（チャンネル）が故障等により機能しなくなった場合の主走査方向の画素と輝度値の関係を示す図である。ラインセンサ５４の端部のチャンネルが機能しなくなった場合、図７と同様に、主走査方向における各画素毎の輝度値のばらつきが所定範囲内に収まっていない。しかしながら、図７の場合と異なり、図８では、端部付近のｎ画素の輝度値は一定を保っている。本実施形態では、画像読取装置１００は、図６〜図８に示すような端部の輝度値の変化の違いから、白色基準板８０が反っていない状態か、反っている状態か、読取走査ユニット５０の光源が機能していない状態であるかを特定する。また、光源が機能していない状態であると特定された場合には、画像読取装置１００は、シェーディング補正を行わないように制御し、光源の故障等を示す警告画面を表示する。また、白色基準板が反っている状態であると特定された場合には、画像読取装置１００は、端部のｎ画素の輝度値を端部以外、例えば図７の中央画素の輝度値に変更する。そして、シェーディング補正は、その変更した輝度値に基づいて行われる。その結果、原稿を読み取った画像データの濃度の均一性の低下を防ぐことができる。
【００２８】
白色基準板の特定は、例えば、図６〜図８に示す輝度値の変化と、白色基準板８０の状態との対応付けを定義したテーブル等により行われる。そのような構成の場合、画像読取装置１００のＣＰＵ２１０は、例えば、読取走査ユニット５０が読み取った各センサの輝度値に基づいて、ＲＯＭ２０８に記憶されたテーブルを参照し、白色基準板８０の状態を特定することができる。
【００２９】
次に、画像読取部１０の制御構成について説明する。図１０は、画像読取部１０の制御構成を示すブロック図である。光源２０１は、ＬＥＤなどの光源であり、図５の照明部材５１ａ、５１ｂに対応する。センサ２０２は、例えばＣＣＤラインセンサであり、図５のラインセンサ５４に対応する。増幅器２０３は、外部から利得を制御可能な利得制御アンプであり、図７に示すターゲット値に補正するための利得補正値が設定される。Ａ／Ｄ変換器２０４は、増幅器２０３からのアナログ出力をデジタル信号に変換する。
【００３０】
シェーディング補正部２０５は、Ａ／Ｄ変換器２０３からの出力データに対してシェーディング補正を行う。画像処理部２０６は、シェーディング補正部２０５によりシェーディング補正が行われた画像信号に対して、平滑化等の各種画像処理を実行し、後段の出力処理部２０７に出力する。出力処理部２０７は、例えば、画像読取装置１００に接続されたプリンタ等の画像形成装置にデータを出力し、画像形成装置にて印刷処理が行われる。また、出力処理部２０７は、例えばＦＡＸ機能や送信機能により、画像形成装置を介して外部にデータを送信するようにしても良い。
【００３１】
ＣＰＵ２１０は、画像読取装置１００全体を統括的に制御する。また、ＣＰＵ２１０は、画像形成装置側のＣＰＵと連携動作することも可能である。ＲＯＭ２０８は、汎用的なＲＯＭであり、例えば、画像読取装置１００の動作を制御するプログラムやデータ、パラメータ、補正処理に用いられるテーブル等を記憶する。ＲＡＭ２０９は、汎用的なＲＡＭであり、例えば、ＣＰＵ２１０のワーキングメモリとして用いられる。画像読取装置１００の機能は、例えば、ＣＰＵ２１０がＲＯＭ２０８に記憶されたプログラムをＲＡＭ２０９に読み出して実行することにより実現される。記憶部２１１は、ハードディスク等で構成された記憶領域であり、例えば、ユーザ情報、設定値等を記憶する。図７及び図８で示したような輝度値や、白色基準板８０の状態を特定するためのテーブルは、例えばＲＯＭ２０８や記憶部２１１に記憶される。
【００３２】
操作部２１２は、表示パネルやハードウェアキーを含んで構成される。表示パネルには、画像読取装置１００が実行可能な機能の設定を受付けるための設定画面や、画像読取装置１００の状態（エラー発生等）を示す情報が表示される。センサの故障等の警告画面も操作部２１２で表示される。また、操作部２１２は、ハードウェアキーやソフトウェアキーにより、ユーザによる画像読取装置１００の設定値の設定操作や、機能実行の指示を受付けることができる。
【００３３】
図９は、本実施形態における読取制御処理を示すフローチャートである。図９の各処理は、例えば、ＣＰＵ２１０がＲＯＭ２０８に記憶されたプログラムをＲＡＭ２０９に読み出して実行することにより実現される。
【００３４】
Ｓ９０１において、ＣＰＵ２１０は、ユーザによって操作部２１２を介して読取動作開始の指示を受け付けると、光源２０１を制御して白色基準板８０に対して光を照射させる。Ｓ９０１の光源制御は、ユーザにより原稿台ガラス３０上に載置された原稿を読み取る前に行われるので、例えば、原稿給送部２０がユーザにより上方に開けられた際に行われる。センサ２０１が白色基準板８０からの反射光を受光すると、センサ２０１は、画像信号を出力する。
【００３５】
Ｓ９０２において、出力された画像信号は、Ａ／Ｄ変換器２０４によりデジタル信号に変換される。ＣＰＵ２１０は、Ａ／Ｄ変換器２０４で変換されたデジタル信号（読取データ）から、ラインセンサ５４の各センサに対応する読取画素の輝度値を取得する。
【００３６】
Ｓ９０３において、ＣＰＵ２１０は、ラインセンサ５４の端部ｎ箇所の画素の輝度値が中央画素の輝度値より低いか否かを判定する。Ｓ９０３では、例えば、端部ｎ箇所の画素の輝度値の平均値を算出し、平均値と中央画素の輝度値とが比較されても良い。また、中央画素でなく、例えば、中央付近の所定の複数の画素の輝度値の平均値が用いられても良い。
【００３７】
Ｓ９０３で、端部ｎ箇所の画素の輝度値が中央画素の輝度値より低くないと判定された場合、ＣＰＵ２１０は、白色基準板８０の状態は反りがないと特定してＳ９０８に進む。Ｓ９０８において、ＣＰＵ２１０は、ターゲット値の輝度レベルになる利得補正値を各画素について算出し、原稿台ガラス３０上に載置された原稿画像の読取りを行う。一方、Ｓ９０３で、端部ｎ箇所の画素の輝度値が中央画素の輝度値より低いと判定された場合、Ｓ９０４に進む。
【００３８】
Ｓ９０４において、ＣＰＵ２１０は、端部ｎ箇所の各画素の輝度値を比較して、ラインセンサ５４の端に近づくほど輝度値が低下するか否かを判定する。Ｓ９０４で低下していないと判定された場合、Ｓ９０５に進む。Ｓ９０５において、ＣＰＵ２１０は、端部ｎ箇所の画素の輝度値が閾値以下であるか否かを判定する。ここで、端部ｎ箇所の画素の輝度値が閾値以下でないと判定された場合、ＣＰＵ２１０は、白色基準板８０の状態は反りがなく、且つ、光源２０１にも異常はないと判定する。そして、Ｓ９０８において、ターゲット値の輝度レベルになる利得補正値を各画素について算出し、原稿台ガラス３０上に載置された原稿画像の読取りを行い、シェーディング補正部２０５によりシェーディング補正が行われる。Ｓ９０８の後、図９の処理を終了する。
【００３９】
一方、Ｓ９０５で端部ｎ箇所の輝度値が閾値以下であると判定された場合、ＣＰＵ２１０は、白色基準板８０の状態は反りがない状態であるものの、端部ｎ箇所の画素に対応する光源２０１に異常があると判定してＳ９０６に進む。Ｓ９０６において、ＣＰＵ２１０は、光源に故障があるためにシェーディング補正が行われない旨の警告画面を操作部２１２上に表示する。その場合、ＣＰＵ２１０は、シェーディング補正を行わないようシェーディング補正部２０５を制御し、その後、図９の処理を終了する。シェーディング補正が行われない旨の警告は、メッセージの表示ではなく、他の方法、例えば、操作部２１２上のＬＥＤの点灯等により通知されるようにしても良い。
【００４０】
Ｓ９０４で端部ｎ箇所の各画素の輝度値が端に近づくほど低下していると判定された場合、ＣＰＵ２１０は、白色基準板８０の状態は反りがあると特定してＳ９０７に進む。Ｓ９０７において、ＣＰＵ２１０は、図７の第Ｙ画素目から最端部の画素までのｎ個の画素の各輝度値を、中央画素の輝度値に変更する。ここで、中央画素ではなく、中央付近の所定数の画素の輝度値の平均値に変更するようにしても良い。その後、Ｓ９０８において、ＣＰＵ２１０は、ターゲット値の輝度レベルになる利得補正値を各画素について算出し、原稿台ガラス３０上に載置された原稿画像の読取りを行い、シェーディング補正部２０５によりシェーディング補正が行われる。Ｓ９０８の後、図９の処理を終了する。つまり、Ｓ９０７で輝度値の変更を行うことにより、白色基準板８０が反った状態であっても、白色基準板８０が反りがなく正常な状態である場合の利得補正値で原稿画像を読み取ってシェーディング補正を行うことができる。
【００４１】
以上のように、本実施形態では、白色基準板８０の端部の部分の画素の輝度値が中央付近の画素の輝度値より低く、かつ、端に近づくほど輝度値が低く変化している場合には、白色基準板８０が反っている状態であると特定する。そして、端部の各画素の輝度値を中央付近の画素と同じ輝度値に変更して、シェーディング補正を行う。そのような構成により、原稿画像を読み取った場合の画像劣化（濃度不均一）を防ぐことができる。
【００４２】
上記の実施形態では、端部の各画素の輝度値を中央付近の画素と同じ輝度値に変更してシェーディング補正を行っているが、記憶部２１１等の記憶領域に予め記憶された輝度値に変換してシェーディング補正を行うようにしても良い。
【符号の説明】
【００４３】
５０  読取走査ユニット：  ５１ａ、５１ｂ  照明部材：  ５４  ラインセンサ：  １００  画像読取装置：  ２０８  ＲＯＭ：  ２０９  ＲＡＭ：  ２１０  ＣＰＵ
【図１】
2017118268.tif 000003
【図２】
2017118268.tif 000004
【図３】
2017118268.tif 000005
【図４】
2017118268.tif 000006
【図５】
2017118268.tif 000007
【図６】
2017118268.tif 000008
【図７】
2017118268.tif 000009
【図８】
2017118268.tif 000010
【図９】
2017118268.tif 000011
【図１０】
2017118268.tif 000012